(57)【特許請求の範囲】
【請求項１】
無線信号を無線基地局と送受信する送受信部と、
少なくとも前記送受信部に供給される電力を蓄えるバッテリと
を有する移動通信端末であって、
前記移動通信端末の移動速度を示す速度情報を取得する速度情報取得部と、
前記バッテリに蓄えられている電力の残量であるバッテリ残量を検出するバッテリ残量検出部と、
前記速度情報取得部によって取得された前記速度情報と、前記バッテリ残量検出部によって検出された前記バッテリ残量とに基づき、前記無線信号の受信品質と前記送受信部の消費電力とに影響を与える少なくとも１つの通信パラメータを選択するパラメータ選択部と、
前記パラメータ選択部によって選択された前記通信パラメータを前記送受信部に設定するパラメータ設定部と、
前記送受信部が前記無線基地局から受信する前記無線信号の前記受信品質を測定する受信品質測定部と
を備え、
前記パラメータ選択部は、
前記バッテリ残量が所定量を下回る場合、前記消費電力を下げるように前記通信パラメータを選択し、
前記バッテリ残量が所定量を上回る場合、前記受信品質を上げるように前記通信パラメータを選択し、
前記速度情報及び前記バッテリ残量に加えて、前記受信品質測定部によって測定された前記受信品質に基づいて、前記移動通信端末が前記無線基地局からの電波到達範囲外に位置する状態である圏外状態を検出し、
前記速度情報に基づいて、前記移動通信端末が移動していない状態である停止状態を検出し、
前記圏外状態が検出され、かつ前記停止状態が検出された場合には、前記バッテリ残量が前記所定量を上回っていても、前記消費電力を下げるように前記通信パラメータを選択することを特徴とする移動通信端末。
【請求項２】
前記パラメータ選択部によって選択された前記通信パラメータをユーザに通知する通知部と、
前記パラメータ選択部によって選択された前記通信パラメータを変更するユーザ操作を受付ける操作受付け部と
をさらに備え、
前記パラメータ設定部は、前記操作受付け部が前記ユーザ操作を受付けた場合に、前記ユーザ操作に従って前記通信パラメータを設定することを特徴とする請求項１に記載の移動通信端末。
【請求項３】
前記送受信部は、複数の前記無線基地局の中から前記受信品質の最も高い無線基地局を探索する動作である基地局サーチを実行し、
前記送受信部は、
前記受信品質を上げるように前記通信パラメータが選択される場合、前記基地局サーチを実行する頻度を増加させ、
前記消費電力を下げるように前記通信パラメータが選択される場合、前記基地局サーチを実行する頻度を減少させる
ことを特徴とする請求項１または２に記載の移動通信端末。
【請求項４】
無線信号を無線基地局と送受信する送受信部と、
少なくとも前記送受信部に供給される電力を蓄えるバッテリと
を有する移動通信端末を制御する制御方法であって、
前記移動通信端末の移動速度を示す速度情報を取得するステップと、
前記バッテリに蓄えられている電力の残量であるバッテリ残量を検出するステップと、
前記取得するステップによって取得された前記速度情報と、前記検出するステップによって検出された前記バッテリ残量とに基づき、前記無線信号の受信品質と前記送受信部の消費電力とに影響を与える少なくとも１つの通信パラメータを選択するステップと、
前記選択するステップによって選択された前記通信パラメータを前記送受信部に設定するステップと、
前記送受信部が前記無線基地局から受信する前記無線信号の前記受信品質を測定するステップと
を備え、
前記選択するステップでは、
前記バッテリ残量が所定量を下回る場合、前記消費電力を下げるように前記通信パラメータが選択され、
前記バッテリ残量が所定量を上回る場合、前記受信品質を上げるように前記通信パラメータが選択され、
前記速度情報及び前記バッテリ残量に加えて、測定された前記受信品質に基づいて、前記移動通信端末が前記無線基地局からの電波到達範囲外に位置する状態である圏外状態が検出され、
前記速度情報に基づいて、前記移動通信端末が移動していない状態である停止状態が検出され、
前記圏外状態が検出され、かつ前記停止状態が検出された場合には、前記バッテリ残量が前記所定量を上回っていても、前記消費電力を下げるように前記通信パラメータが選択されることを特徴とする制御方法。
【発明の詳細な説明】
【技術分野】
【０００１】
本発明は、バッテリに蓄えられた電力を用いて動作する移動通信端末、及びその制御方法に関する。
【背景技術】
【０００２】
一般的に、移動通信端末は、無線基地局と無線信号を送受信する送受信部と、少なくとも送受信部に供給される電力を蓄えるバッテリとを備える。
【０００３】
このような移動通信端末は、複数の無線基地局の中から無線信号（例えば、パイロット信号）の受信品質の最も高い無線基地局を探索（以下、「基地局サーチ」）するとともに、受信品質の最も高い無線基地局を接続先の無線基地局として選択する。
【０００４】
したがって、移動通信端末において、基地局サーチを実行する頻度が高いほど受信品質を高めることが可能となるが、基地局サーチを実行する頻度が高いほど送受信部における消費電力が増える。
【０００５】
また、移動通信端末の移動速度が高速である場合には受信品質が低下し易い。このため、移動通信端末の高速移動時において、基地局サーチを実行する頻度を増やす移動通信端末が提案されている（特許文献１参照）。特許文献１に記載の移動通信端末によれば、高速移動時においても受信品質の低下を防止可能となる。
【特許文献１】特開２００４−１０４２６５号公報
【発明の開示】
【発明が解決しようとする課題】
【０００６】
ところで、ユーザがバッテリを充電する機会は限られており、バッテリ残量が少ない場合には、移動通信端末の消費電力を減らすことで動作可能時間を延長させることが望まれる。
【０００７】
しかしながら、特許文献１に記載の移動通信端末では、バッテリ残量が少ない場合においても、移動通信端末の移動速度が上がると基地局サーチ頻度が増えるために消費電力が増え、動作可能時間が短縮されてしまう問題があった。
【０００８】
そこで、本発明は、上述した課題を解決するためになされたものであり、受信品質の低下を防止しつつ、バッテリ残量が少ない場合に動作可能時間を延長させることが可能な移動通信端末及びその制御方法を提供することを目的とする。
【課題を解決するための手段】
【０００９】
本発明の第１の特徴は、無線信号を無線基地局と送受信する送受信部（送受信部１２０）と、少なくとも前記送受信部に供給される電力を蓄えるバッテリ（バッテリ１３０）とを有する移動通信端末（移動通信端末１００）であって、前記移動通信端末の移動速度を示す速度情報を取得する速度情報取得部（移動速度情報取得部１４１）と、前記バッテリに蓄えられている電力の残量であるバッテリ残量を検出するバッテリ残量検出部（バッテリ残量検出部１４２）と、前記速度情報取得部によって取得された前記速度情報と、前記バッテリ残量検出部によって検出された前記バッテリ残量とに基づき、前記無線信号の受信品質と前記送受信部の消費電力とに影響を与える少なくとも１つの通信パラメータを選択するパラメータ選択部（パラメータ選択部１４４）と、前記パラメータ選択部によって選択された前記通信パラメータを前記送受信部に設定するパラメータ設定部（パラメータ設定部１４５）とを備え、前記パラメータ選択部は、前記バッテリ残量が所定量を下回る場合、前記消費電力を下げるように前記通信パラメータを選択することを要旨とする。
【００１０】
このような移動通信端末によれば、パラメータ選択部は、バッテリ残量が所定量を下回る場合、消費電力を下げるように前記通信パラメータを選択する。したがって、受信品質の低下を防止しつつ、バッテリ残量が少ない場合に動作可能時間を延長させることが可能な移動通信端末が提供される。
【００１１】
本発明の第２の特徴は、本発明の第１の特徴に係り、前記パラメータ選択部は、前記バッテリ残量が所定量を上回る場合、前記受信品質を上げるように前記通信パラメータを選択することを要旨とする。
【００１２】
このような移動通信端末によれば、バッテリ残量が多い場合には、受信品質を上げるように通信パラメータが選択されるため、受信品質の低下が防止される。
【００１３】
本発明の第３の特徴は、本発明の第２の特徴に係り、前記送受信部が前記無線基地局から受信する前記無線信号の前記受信品質を測定する受信品質測定部（受信品質測定部１４３）をさらに備え、前記パラメータ選択部は、前記速度情報及び前記バッテリ残量に加えて、前記受信品質測定部によって測定された前記受信品質に基づいて、前記通信パラメータを選択することを要旨とする。
【００１４】
このような移動通信端末によれば、速度情報及びバッテリ残量だけでなく、受信品質をも考慮して通信パラメータを選択可能となる。
【００１５】
本発明の第４の特徴は、本発明の第３の特徴に係り、前記パラメータ選択部は、前記受信品質に基づいて、前記移動通信端末が前記無線基地局からの電波到達範囲外に位置する状態である圏外状態を検出し、前記速度情報に基づいて、前記移動通信端末が移動していない状態である停止状態を検出し、前記圏外状態が検出され、かつ前記停止状態が検出された場合には、前記バッテリ残量が前記所定量を上回っていても、前記消費電力を下げるように前記通信パラメータを選択することを要旨とする。
【００１６】
このような移動通信端末によれば、パラメータ選択部は、圏外状態が検出され、かつ停止状態が検出された場合には、バッテリ残量が所定量を上回っていても、消費電力を下げるように通信パラメータを選択する。これにより、消費電力が無駄に消費されることが防止され、動作可能時間をより延長させることができる。
【００１７】
本発明の第５の特徴は、本発明の第１の特徴に係り、前記パラメータ選択部によって選択された前記通信パラメータをユーザに通知する通知部（表示部１５０）と、前記パラメータ選択部によって選択された前記通信パラメータを変更するユーザ操作を受付ける操作受付け部（入力部１６０）とをさらに備え、前記パラメータ設定部は、前記操作受付け部が前記ユーザ操作を受付けた場合に、前記ユーザ操作に従って前記通信パラメータを設定することを要旨とする。
【００１８】
このような移動通信端末によれば、ユーザ操作に従って通信パラメータが設定可能となり、ユーザの利便性を向上させることができる。
【００１９】
本発明の第６の特徴は、本発明の第１〜５のいずれかの特徴に係り、前記送受信部は、複数の前記無線基地局の中から前記受信品質の最も高い無線基地局を探索する動作である基地局サーチを実行し、前記送受信部は、前記受信品質を上げるように前記通信パラメータが選択される場合、前記基地局サーチを実行する頻度を増加させ、前記消費電力を下げるように前記通信パラメータが選択される場合、前記基地局サーチを実行する頻度を減少させることを要旨とする。
【００２０】
このような移動通信端末によれば、受信品質の低下を防止しつつ、バッテリ残量が少ない場合に動作可能時間を延長させることができる。
【００２１】
本発明の第７の特徴は、無線信号を無線基地局と送受信する送受信部と、少なくとも前記送受信部に供給される電力を蓄えるバッテリとを有する移動通信端末を制御する制御方法であって、前記移動通信端末の移動速度を示す速度情報を取得するステップと、前記バッテリに蓄えられている電力の残量であるバッテリ残量を検出するステップと、前記取得するステップによって取得された前記速度情報と、前記検出するステップによって検出された前記バッテリ残量とに基づき、前記無線信号の受信品質と前記送受信部の消費電力とに影響を与える少なくとも１つの通信パラメータを選択するステップと、前記選択するステップによって選択された前記通信パラメータを前記送受信部に設定するステップとを備え、前記選択するステップでは、前記バッテリ残量が所定量を下回る場合、前記消費電力を下げるように前記通信パラメータが選択されることを要旨とする。
【発明の効果】
【００２２】
本発明の特徴によれば、受信品質の低下を防止しつつ、バッテリ残量が少ない場合に動作可能時間を延長させることが可能な移動通信端末及びその制御方法を提供できる。
【発明を実施するための最良の形態】
【００２３】
次に、図面を参照して、本発明の実施形態を説明する。以下の実施形態における図面の記載において、同一又は類似の部分には同一又は類似の符号を付している。
【００２４】
（１）移動通信システムの全体概略構成
図１は、本実施形態に係る移動体通信システム１０の全体概略構成図である。図１に示すように、移動体通信システム１０は、移動通信端末１００、無線基地局２００Ａ，２００Ｂを含む。
【００２５】
移動通信端末１００は、移動通信端末１００のユーザの移動に伴って移動する。移動通信端末１００が電車や自動車などの車両内に位置する場合、移動通信端末１００の移動速度は、例えば０ｋｍ／ｈ〜２００ｋｍ／ｈ程度となる。
【００２６】
本実施形態では、移動通信端末１００の移動速度が０ｋｍ／ｈ程度を停止状態、１ｋｍ／ｈ〜５０ｋｍ／ｈ程度を低速（移動）、５１ｋｍ／ｈ〜２００ｋｍ／ｈ程度を高速（移動）と呼ぶ。
【００２７】
移動通信端末１００は、基地局サーチを実行し、受信品質の最も高い無線基地局を接続先の無線基地局として選択する。図１の例では、移動通信端末１００は、無線基地局２００Ａに接続して通信している。
【００２８】
移動通信端末１００は、電源ＯＮ持の基地局サーチでは、移動通信端末１００に予め記憶されている周波数リストを元に検索を実行する。移動通信端末１００は、リスト内の周波数を補足可能であれば、補足した周波数の報知情報から周辺セル周波数を割り出して基地局サーチを実行する。周波数を補足できない場合、つまり圏外時には、リストにある全周波数を検索（以下、適宜「全波サーチ」という）する。全波サーチは、検索すべき周波数（無線チャネル）が多いほど長時間必要となる。
【００２９】
なお、移動通信端末１００が着信待ち受け中に基地局サーチを実行して接続先を切り替える動作は「セルリセレクション」と呼ばれる。移動通信端末１００が通信中に基地局サーチを実行して接続先を切り替える動作は「ハンドオーバ」と呼ばれる。
【００３０】
無線基地局２００Ａは、無線基地局２００Ａの電波到達範囲であるセルＣ１を形成する。同様に、無線基地局２００Ｂは、セルＣ２を形成している。
【００３１】
移動通信端末１００は、無線基地局２００Ａから指定される通信パラメータ、及び移動通信端末１００に予め設定されている通信パラメータに従って、待ち受け及び通信を実行する。
【００３２】
（２）移動通信端末の構成
次に、図２及び図３を用いて、移動通信端末１００の構成について説明する。
【００３３】
（２．１）移動通信端末の概略ハードウェア構成
まず、移動通信端末１００の概略ハードウェア構成について説明する。図２は、移動通信端末１００の概略ハードウェア構成を示すブロック図である。
【００３４】
図２に示すように、移動通信端末１００は、アンテナ１１０、送受信部１２０、バッテリ１３０、制御部１４０、表示部１５０、入力部１６０、マイク１７０、及びスピーカ１８０を含む。
【００３５】
送受信部１２０は、アンテナ１１０を介して、無線信号を無線基地局２００Ａから受信する。また、送受信部１２０は、アンテナ１１０を介して、無線信号を無線基地局２００Ａに送信する。
【００３６】
具体的には、送受信部１２０は、図示を省略する送信部及び受信部を含む。送信部は、無線信号の周波数を上昇させるアップコンバータ、及び無線信号の増幅に用いられるパワーアンプを含む。受信部は、無線信号の増幅に用いられる低雑音アンプ、及び無線信号の周波数を低下させるダウンコンバータを含む。
【００３７】
このように、送受信部１２０は、主にアナログ回路によって構成されており、移動通信端末１００の消費電力の多くを占めるブロックである。すなわち、送受信部１２０が動作する頻度が多いほど移動通信端末１００の消費電力が増えることになる。
【００３８】
バッテリ１３０は、少なくとも送受信部１２０に供給される電力を蓄える。本実施形態では、バッテリ１３０は、移動通信端末１００全体に電力を供給する。なお、バッテリ１３０は、充電可能なバッテリ（二次電池）に限らず、充電不可能なバッテリ（一次電池）であっても良い。
【００３９】
表示部１５０は、各種の情報を表示するディスプレイによって構成される。入力部１６０は、ユーザ操作を受付ける各種のボタンなどによって構成される。マイク１７０は、ユーザの音声を電気信号に変換する。スピーカ１８０は、電気信号を音声に変換して出力する。
【００４０】
制御部１４０は、ＣＰＵ及びメモリなどによって構成される。制御部１４０は、送受信部１２０、バッテリ１３０、表示部１５０、入力部１６０、マイク１７０、及びスピーカ１８０を制御する。
【００４１】
（２．１）移動通信端末の機能ブロック構成
次に、移動通信端末１００、具体的には、制御部１４０の機能ブロック構成について説明する。図３は、制御部１４０の機能ブロック構成を示すブロック図である。
【００４２】
図３に示すように、制御部１４０は、移動速度情報取得部１４１、バッテリ残量検出部１４２、受信品質測定部１４３、パラメータ選択部１４４、及びパラメータ設定部１４５を含む。
【００４３】
移動速度情報取得部１４１は、移動通信端末１００の移動速度を示す速度情報を取得する。速度情報の取得方法としては、例えば以下の（ａ）〜（ｃ）のいずれかの方法が利用できる。
【００４４】
（ａ）レイリーフェージングの変動（フェージングピッチ）から、ドップラー周波数ｆｄを計算し、ドップラー周波数ｆｄにより移動速度を得る方法。この場合、ドップラー周波数ｆｄを速度情報として用いても良い。
【００４５】
（ｂ）単位時間当たりのセル移行回数をカウントし、カウント値により移動速度を得る方法。この場合、移動通信端末１００にて移動速度を測定する場合に限らず、無線基地局にて移動速度を測定し、速度情報を移動通信端末１００に通知してもよい。
【００４６】
（ｃ）ＧＰＳ又は加速度センサなどにより移動速度を測定する周知の方法。
【００４７】
バッテリ残量検出部１４２は、バッテリ１３０に蓄えられている電力の残量であるバッテリ残量を検出する。
【００４８】
受信品質測定部１４３は、送受信部１２０が無線基地局から受信する無線信号の受信品質を測定する。受信品質測定部１４３が測定する受信品質としては、例えば、信号対雑音比（ＳＮＲ）、受信電界強度（ＲＳＳＩ）、又はブロック誤り率（ＢＬＥＲ）が利用できる。
【００４９】
パラメータ選択部１４４は、移動速度情報取得部１４１によって取得された速度情報と、バッテリ残量検出部１４２によって検出されたバッテリ残量とに基づき、受信品質と送受信部１２０の消費電力とに影響を与える少なくとも１つの通信パラメータを選択する。なお、通信パラメータの具体例については後述する。
【００５０】
本実施形態では、パラメータ選択部１４４は、速度情報及びバッテリ残量に加え、受信品質測定部１４３によって測定された受信品質に基づいて通信パラメータを選択する。
【００５１】
パラメータ設定部１４５は、パラメータ選択部１４４によって選択された通信パラメータを送受信部１２０に設定する。
【００５２】
（３）通信パラメータの具体例
次に、通信パラメータの具体例について説明する。図４は、通信パラメータの具体例を説明するための図である。
【００５３】
図４に示すように、通信パラメータは、ＤＲＸ周期、未知基地局サーチ間隔、Ｓ−ｉｎｔｒａ、Ｈｙｓｔｅｒｅｓｉｓ、Ｔｉｍｅ  Ｔｏ  Ｔｒｉｇｅｒ、Ｒｅｐｏｒｔｉｎｇ  Ｒａｎｇｅ、及び全波サーチ間隔を含む。
【００５４】
ＤＲＸ周期は、移動通信端末１００が通信中に、既知の無線基地局を探索する周期を規定する通信パラメータである。ＤＲＸ周期は、無線基地局から移動通信端末１００に通知され、移動通信端末１００に初期設定される。
【００５５】
未知基地局サーチ間隔は、移動通信端末１００が通信中に、未知の無線基地局を探索する間隔を規定する通信パラメータである。未知基地局サーチ間隔は、移動通信端末１００に予め設定されている。
【００５６】
Ｓ−ｉｎｔｒａは、移動通信端末１００が通信中に、未知の無線基地局を探索するトリガとなる通信パラメータである。具体的には、受信品質がＳ−ｉｎｔｒａを下回ると、移動通信端末１００において未知の無線基地局が探索される。Ｓ−ｉｎｔｒａは、無線基地局から移動通信端末１００に通知され、移動通信端末１００に初期設定される。
【００５７】
Ｈｙｓｔｅｒｅｓｉｓ、Ｔｉｍｅ  Ｔｏ  Ｔｒｉｇｅｒ、及びＲｅｐｏｒｔｉｎｇ  Ｒａｎｇｅは、移動通信端末１００が待ち受け中に、無線基地局を探索した結果からより良好なセルに移行するトリガとなる通信パラメータである。新たに選択された無線基地局は、移動通信端末１００の待ち受け先の無線基地局として選択される。Ｈｙｓｔｅｒｅｓｉｓ、Ｔｉｍｅ  Ｔｏ  Ｔｒｉｇｅｒ、及びＲｅｐｏｒｔｉｎｇ  Ｒａｎｇｅは、無線基地局から移動通信端末１００に通知され、移動通信端末１００に初期設定される。
【００５８】
全波サーチ間隔は、移動通信端末１００が圏外状態である場合に、受信可能な電波（周波数）を探索する全波サーチ間隔を規定する通信パラメータである。全波サーチ間隔は、無線基地局から移動通信端末１００に通知され、移動通信端末１００に初期設定される。
【００５９】
これらの通信パラメータの値は、パラメータ選択部１４４によって選択（更新）される。また、パラメータ選択部１４４によって選択された通信パラメータの値は、パラメータ設定部１４５によって送受信部１２０に設定される。
【００６０】
本実施形態では、受信品質の向上を優先するか、消費電力の削減を優先するかに応じて、通信パラメータの値が異なっている。
【００６１】
例えば、ＤＲＸ周期は、受信品質の向上を優先する場合には小さい値（短い周期）に設定される。これにより、受信品質の向上に寄与するが、消費電力は増える。一方、消費電力の削減を優先する場合、ＤＲＸ周期は、大きい値（長い周期）に設定される。これにより、消費電力が削減されるが、受信品質の劣化に繋がる。
【００６２】
（４）移動通信端末の動作
次に、図５及び図６を用いて、移動通信端末１００の動作について説明する。
【００６３】
（４．１）移動通信端末の概略動作
まず、移動通信端末１００の概略動作、具体的には、パラメータ選択部１４４の動作について説明する。図５は、パラメータ選択部１４４の概略動作を説明するための図である。
【００６４】
図５に示すように、パラメータ選択部１４４は、移動通信端末１００の移動速度に応じて通信パラメータを選択する。具体的には、パラメータ選択部１４４は、移動通信端末１００の移動速度が高速である場合、移動速度の変化に伴って通信パラメータの値を更新する。一方、移動通信端末１００の移動速度が低速又は停止状態である場合、パラメータ選択部１４４は、通信パラメータの値を固定値に維持する。
【００６５】
また、パラメータ選択部１４４は、バッテリ残量が所定量を下回る場合、つまりバッテリ残量が少ない場合、消費電力の削減を優先して通信パラメータを選択する。ここで、所定量としては、バッテリ残量の最大量の１／３程度とすることができる。一方、バッテリ残量が所定量を上回る場合には、受信品質の向上を優先して通信パラメータが選択される。
【００６６】
さらに、パラメータ選択部１４４は、受信品質に基づいて、移動通信端末１００が無線基地局からの電波到達範囲（すなわち、セル）外に位置する状態である圏外状態を検出する。例えば、受信品質を示す値を閾値と比較することで圏外状態を検出できる。パラメータ選択部１４４は、速度情報に基づいて、移動通信端末１００の停止状態を検出する。そして、パラメータ選択部１４４は、圏外状態が検出され、かつ停止状態が検出された場合には、バッテリ残量が前記所定量を上回っていても、消費電力の削減を優先して通信パラメータを選択する。
【００６７】
（４．２）移動通信端末の詳細動作例
次に、移動通信端末１００の詳細動作例について説明する。図６は、移動通信端末１００の詳細動作例を示すフローチャートである。
【００６８】
ステップＳ１０１において、パラメータ設定部１４５は、通信パラメータの初期値（初期設定値）を送受信部１２０に設定する。
【００６９】
ステップＳ１０２において、受信品質測定部１４３は、受信品質を測定する。
【００７０】
ステップＳ１０３において、パラメータ選択部１４４は、受信品質測定部１４３によって測定された受信品質に基づいて、圏外状態が検出されたか否かを判定する。圏外状態が検出された場合、ステップＳ１０４に処理が進む。一方、圏外状態が検出されない場合、ステップＳ１０６に処理が進む。
【００７１】
ステップＳ１０４において、移動速度情報取得部１４１は、速度情報を取得する。
【００７２】
ステップＳ１０５において、パラメータ選択部１４４は、移動速度情報取得部１４１によって取得された速度情報に基づいて、停止状態が検出されたか否かを判定する。停止状態が検出された場合、ステップＳ１０８に処理が進む。一方、停止状態が検出されない場合、ステップＳ１０１に処理が戻る。
【００７３】
ステップＳ１０６においては、バッテリ残量検出部１４２は、バッテリ残量を検出する。
【００７４】
ステップＳ１０７において、パラメータ選択部１４４は、バッテリ残量検出部１４２によって検出されたバッテリ残量に基づいて、バッテリ残量が少ないか否かを判定する。バッテリ残量が少ないと判定された場合、ステップＳ１０８に処理が進む。一方、バッテリ残量が少なくない、つまり多いと判定された場合、ステップＳ１０９に処理が進む。
【００７５】
ステップＳ１０８において、パラメータ選択部１４４は、消費電力の削減を優先して通信パラメータを選択する。選択された通信パラメータは、パラメータ設定部１４５によって送受信部１２０に設定される。
【００７６】
ステップＳ１０９において、移動速度情報取得部１４１は、速度情報を取得する。
【００７７】
ステップＳ１１０において、パラメータ選択部１４４は、移動速度情報取得部１４１によって取得された速度情報に基づいて、移動通信端末１００の移動速度が高速であるか否かを判定する。移動通信端末１００の移動速度が高速であると判定された場合、ステップＳ１１１に処理が進む。一方、移動通信端末１００の移動速度が高速でない（つまり、低速）であると判定された場合、ステップＳ１１２に処理が進む。
【００７８】
ステップＳ１１１において、パラメータ選択部１４４は、受信品質の向上を優先して通信パラメータを選択する。具体的には、移動通信端末１００の移動速度に対応する通信パラメータの値を選択する。すなわち、ステップＳ１１１では、通信パラメータの値は移動速度に応じた可変値となる。選択された通信パラメータは、パラメータ設定部１４５によって送受信部１２０に設定される。
【００７９】
ステップＳ１１２において、パラメータ選択部１４４は、受信品質の向上を優先して通信パラメータを選択する。具体的には、通信パラメータの値として予め定められた値を選択する。すなわち、ステップＳ１１２では、通信パラメータの値は固定値となる。ここで、予め定められた値としては、初期設定値を使用しても良い。初期設定値は、ネットワーク側でチューニングされた値を含む。このため、低速移動時には、初期設定値に従って通信パラメータを選択することで受信品質を有る程度良好に保つことができる。選択された通信パラメータは、パラメータ設定部１４５によって送受信部１２０に設定される。
【００８０】
（５）作用・効果
パラメータ選択部１４４は、バッテリ残量が少ない場合に、消費電力を下げるように通信パラメータを選択する。本実施形態では、パラメータ選択部１４４は、バッテリ残量が少ない場合に、基地局サーチの実行頻度を減少させるように通信パラメータを選択する。
【００８１】
また、パラメータ選択部１４４は、バッテリ残量が多い場合に、受信品質を上げるように通信パラメータを選択する。本実施形態では、パラメータ選択部１４４は、バッテリ残量が多い場合に、基地局サーチの実行頻度を増加させるように通信パラメータを選択する。
【００８２】
したがって、バッテリ残量が少ない場合には、移動通信端末１００の動作可能時間を延長させることが可能となる。また、バッテリ残量が多い場合には、受信品質の低下を防止可能となる。
【００８３】
本実施形態では、パラメータ選択部１４４は、バッテリ残量が多く、かつ移動通信端末１００の移動速度が高速である場合に、移動通信端末１００の移動速度が上昇するに従って基地局サーチの実行頻度を増加させる。したがって、移動通信端末１００の移動速度が高速であっても、受信品質の低下を防止可能となる。
【００８４】
本実施形態では、パラメータ選択部１４４は、圏外状態が検出され、かつ停止状態が検出された場合には、バッテリ残量が所定量を上回っていても、消費電力を下げるように通信パラメータを選択する。具体的には、パラメータ選択部１４４は、圏外状態が検出され、かつ停止状態が検出された場合には、バッテリ残量が所定量を上回っていても、基地局サーチの実行頻度を減少させるように通信パラメータを選択する。
【００８５】
すなわち、移動通信端末１００が圏外状態であり、かつ停止状態である場合には、受信品質の改善が見込めないため、基地局サーチ（全波サーチ）の実行頻度を減少させることによって、消費電力が無駄に消費されることが防止される。既存の方法では圏外時に一定周期で全波サーチが実行されるが、本実施形態では、全波サーチの頻度を低減して消費電力を削減可能となる。このため、移動通信端末１００の動作可能時間をより延長させることができる。
【００８６】
（６）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００８７】
例えば、表示部１５０が、パラメータ選択部１４４によって選択された通信パラメータを表示し、入力部１６０が、パラメータ選択部１４４によって選択された通信パラメータを変更するユーザ操作を受付けてもよい。この場合、表示部１５０は、パラメータ選択部１４４によって選択された通信パラメータをユーザに通知する通知部を構成する。なお、表示による通知に限らず、音声による通知であってもよい。入力部１６０は、通信パラメータを変更するユーザ操作を受付ける操作受付け部を構成する。
【００８８】
これにより、ユーザ操作に従って通信パラメータが設定可能となり、ユーザの利便性を向上させることができる。あるいは、図７に示すように、通信パラメータの選択を全てユーザ操作により実行してもよい。図７の例では、表示部１５０上に、バッテリ残量を示す情報と、通信パラメータの設定の候補を示す情報（ここでは、初期設定、消費電力優先、受信品質優先）が表示されている。
【００８９】
上述した実施形態では、パラメータ選択部１４４が、速度情報及びバッテリ残量だけでなく受信品質をも考慮して通信パラメータを選択していたが、速度情報及びバッテリ残量のみに基づいて通信パラメータを選択してもよい。あるいは、移動通信端末１００の移動速度と受信品質とは相関関係を有するため、受信品質を速度情報として用いる構成も採用可能である。
【００９０】
上述した実施形態では、圏外状態が検出され、かつ停止状態が検出された場合には、バッテリ残量が所定量を上回っていても、消費電力を下げるように通信パラメータが選択されていた。しかしながら、バッテリ残量が所定量を上回っている場合には、常に受信品質の向上を優先して通信パラメータが選択されてもよい。
【００９１】
上述した実施形態では、図４に示した各通信パラメータの値を選択及び更新する構成について説明したが、図４に示した各通信パラメータに限らず、受信品質及び消費電力に影響を与える通信パラメータであれば、図４に示した各通信パラメータ以外の通信パラメータを選択及び更新しても良い。
【００９２】
上述した実施形態では、移動通信端末１００の移動状態を停止、低速、高速の３つに分けていたが、停止と移動の２つに分けてもよい。この場合、図６に示したフローチャートでは、ステップＳ１１０において移動しているか否かについて判定し、移動していると判定した場合にステップＳ１１１に処理を進める方法としても良い。
【００９３】
また、移動通信端末１００の移動速度が５１ｋｍ／ｈ〜２００ｋｍ／ｈ程度を高速（移動）としていた。しかしながら、移動通信端末１００の移動速度が１００ｋｍ／ｈ以上（新幹線や高速道路での移動を想定）を高速としてもよい。
【００９４】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【００９５】
【図１】本発明の実施形態に係る移動体通信システムの全体概略構成図である。
【図２】本発明の実施形態に係る移動通信端末の概略ハードウェア構成を示すブロック図である。
【図３】本発明の実施形態に係る移動通信端末の制御部の機能ブロック構成を示すブロック図である。
【図４】本発明の実施形態に係る通信パラメータの具体例を説明するための図である。
【図５】本発明の実施形態に係るパラメータ選択部の概略動作を説明するための図である。
【図６】本発明の実施形態に係る移動通信端末の詳細動作例を示すフローチャートである。
【図７】その他の実施形態に係るパラメータ選択方法を説明するための図である。
【符号の説明】
【００９６】
移動体通信システム１０、移動通信端末１００、無線基地局２００Ａ，２００Ｂ、アンテナ１１０、送受信部１２０、バッテリ１３０、制御部１４０、移動速度情報取得部１４１、バッテリ残量検出部１４２、受信品質測定部１４３、パラメータ選択部１４４、パラメータ設定部１４５、表示部１５０、入力部１６０、マイク１７０、スピーカ１８０
【図１】
0005140439.tif 000002
【図２】
0005140439.tif 000003
【図３】
0005140439.tif 000004
【図４】
0005140439.tif 000005
【図５】
0005140439.tif 000006
【図６】
0005140439.tif 000007
【図７】
0005140439.tif 000008